(57)【要約】【課題】  色合成光学装置に対する光変調装置の接合状態の強化を図れ、画素ずれのない良好な光学像を形成できる光学装置、およびプロジェクタを提供する。【解決手段】光学装置本体７００Ａを構成する色合成光学装置としてのクロスダイクロイックプリズム５００および光変調装置４００Ｒ，４００Ｇ，４００Ｂは、断熱ピン９３８を介して固定されている。光学装置本体７００Ａは、台座９７０と、補強部材９３７とを備え、台座９７０を構成する熱伝導性部材９４０には、補強部材９３７を支持固定する支持面が形成されている。補強部材９３７は、熱伝導性部材９４０の支持面にて支持されつつ、光変調装置４００Ｒ，４００Ｇ，４００Ｂをそれぞれ支持固定し、クロスダイクロイックプリズム５００に対する光変調装置４００Ｒ，４００Ｇ，４００Ｂの固定状態を補強する。【選択図】 図２
2005070511.tif 000002
【特許請求の範囲】
【請求項１】
複数の色光を色光毎に画像情報に応じて変調する複数の光変調装置と、前記光変調装置で変調された各色光を合成して射出する色合成光学装置と、前記色合成光学装置の各光束入射端面に対して前記複数の光変調装置をそれぞれ固定する複数の固定部材とを備えた光学装置であって、
前記色合成光学装置の各光束入射端面に交差する一対の端面のうち、少なくともいずれか一方の端面に固定される台座と、
前記複数の光変調装置の各側端面に対向配置される複数の補強部材とを備え、
前記台座には、前記複数の補強部材を支持する支持面が形成され、
前記複数の補強部材は、前記支持面にて支持されつつ、前記複数の光変調装置の各側端面をそれぞれ支持固定し、前記色合成光学装置の各光束入射端面に対する前記複数の光変調装置の固定状態を補強することを特徴とする光学装置。
【請求項２】
請求項１に記載の光学装置において、
前記台座は、平面視矩形状の板体と、この板体の四隅角部分から該板体の板面と平行に延出する脚部とを備え、
前記脚部には、該脚部の面外方向に突出する支柱が設けられ、
前記支柱の先端部分は、段付状に形成され、前記補強部材を支持する前記支持面を有していることを特徴とする光学装置。
【請求項３】
請求項２に記載の光学装置において、
前記支持面は、光束入射側に向かうにしたがって幅広となる形状を有し、
前記補強部材は、略三角柱状に形成され、該柱状端部が前記支持面に支持されるとともに、略三角柱状の３つの外側面のうち、１つの外側面にて前記光変調装置の側端面を支持固定し、他の１つの外側面が前記支柱に当接することを特徴とする光学装置。
【請求項４】
請求項１に記載の光学装置において、
前記台座は、平面視矩形状の板体と、この板体の四隅角部分から該板体の板面と平行に延出し、前記補強部材を支持する前記支持面を有する脚部とを備え、
前記補強部材は、断面略台形状の柱部材から構成され、該柱部材端部が前記支持面に支持されるとともに、断面略台形状の平行関係を有しない対向する２辺をそれぞれ含む各外側面のうち、少なくともいずれか一方の外側面にて前記光変調装置の側端面を支持固定することを特徴とする光学装置。
【請求項５】
請求項１に記載の光学装置において、
前記台座は、平面視矩形状の板体と、この板体の四隅角部分から該板体の板面と平行に延出し、前記補強部材を支持する前記支持面を有する脚部とを備え、
前記補強部材は、対向する端縁に曲げ加工が施された矩形板状体から構成され、略中央部分に位置する基部と、この基部から断面略ハ字状に延出する２つの延出部とを備え、前記対向する端縁に交差する端部が前記支持面に支持されるとともに、前記２つの延出部のうち、少なくともいずれか一方の延出部にて前記光変調装置の側端面を支持固定することを特徴とする光学装置。
【請求項６】
請求項４または請求項５に記載の光学装置において、
前記板体は、前記脚部の厚み寸法よりも大きい厚み寸法を有し、前記脚部との接続部分に段差部が形成され、
前記補強部材は、前記断面略台形状の平行関係を有する２辺のうちの短辺を含む外側面、または、前記基部が前記段差部に当接することを特徴とする光学装置。
【請求項７】
請求項１から請求項６のいずれかに記載の光学装置において、
前記光変調装置は、光変調を実施する光変調素子と、この光変調素子を収納する保持枠とを備え、
前記保持枠、前記補強部材、および前記台座は、熱伝導性材料から構成され、これら各部材間は、熱伝導性接着剤にて互いに接着固定されていることを特徴とする光学装置。
【請求項８】
光源と、前記光源から射出された光束を複数の色光に分離する色分離光学装置と、請求項１から請求項７のいずれかに記載の光学装置と、前記光学装置にて形成された光学像を拡大投写する投写光学装置とを備えていることを特徴とするプロジェクタ。
【発明の詳細な説明】
【技術分野】
【０００１】
本発明は、光学装置およびプロジェクタに関する。
【背景技術】
【０００２】
従来、光源から射出された光束を３色の色光に分離する色分離光学系と、色光毎に画像情報に応じて変調する３枚の光変調装置と、各光変調装置で変調された光束を合成する色合成光学装置とを備える３板式のプロジェクタが知られている。
このような三板式のプロジェクタでは、該プロジェクタの小型化を図るために、色合成光学装置に対して３つの光変調装置を接合固定した光学装置が採用されている（例えば、特許文献１参照）。
この光学装置は、複数のピンスペーサを介して、色合成光学装置に対して３つの光変調装置が接合固定されている。
具体的に、光変調装置は、光変調を実施する光変調素子と、この光変調素子の画像形成領域に応じた開口を有し、該光変調素子を収納する保持枠とで構成される。ここで、保持枠には、開口周縁に４つの孔が形成されている。そして、保持枠に光変調素子を収納保持させた状態で、４つのピンスペーサを保持枠に形成された４つの孔にそれぞれ挿通し、各ピンスペーサの端面を色合成光学装置の光束入射端面に接着固定するとともに、各ピンスペーサの側面と各孔の内側面とを接着固定することで色合成光学装置に対して３つの光変調装置を接合固定している。
【０００３】
【特許文献１】特開２０００−２２１５８８号公報
【発明の開示】
【発明が解決しようとする課題】
【０００４】
しかしながら、特許文献１に記載の光学装置では、色合成光学装置に対して光変調装置が複数のピンスペーサにて支持固定されているので、光学装置に対する外力の影響により、各ピンスペーサが傾斜するおそれがあり、このピンスペーサの傾斜により色合成光学装置に対して光変調装置が位置ずれを起こすおそれがある。したがって、複数の光変調装置における相互の位置がずれ、結果的に投写画像に画素ずれが生じるおそれがある。
【０００５】
本発明の目的は、色合成光学装置に対する光変調装置の接合状態の強化を図れ、画素ずれのない良好な光学像を形成できる光学装置、およびプロジェクタを提供することにある。
【課題を解決するための手段】
【０００６】
本発明の光学装置は、複数の色光を色光毎に画像情報に応じて変調する複数の光変調装置と、前記光変調装置で変調された各色光を合成して射出する色合成光学装置と、前記色合成光学装置の各光束入射端面に対して前記複数の光変調装置をそれぞれ固定する複数の固定部材とを備えた光学装置であって、前記色合成光学装置の各光束入射端面に交差する一対の端面のうち、少なくともいずれか一方の端面に固定される台座と、前記複数の光変調装置の各側端面に対向配置される複数の補強部材とを備え、前記台座には、前記複数の補強部材を支持する支持面が形成され、前記複数の補強部材は、前記支持面にて支持されつつ、前記複数の光変調装置の各側端面をそれぞれ支持固定し、前記色合成光学装置の各光束入射端面に対する前記複数の光変調装置の固定状態を補強することを特徴とする。
【０００７】
ここで、本発明は、例えば、複数の光変調装置が固定部材としての複数のピンスペーサを介して色合成光学装置の各光束入射端面に対してそれぞれ固定された光学装置に採用できる。また、複数のピンスペーサに限らず、固定部材としてその他の部材を用いて色合成光学装置の各光束入射端面に対して複数の光変調装置をそれぞれ固定した光学装置に採用してもよい。
また、複数の光変調装置が色合成光学装置の各光束入射端面に対してそれぞれ固定されているとは、複数の光変調装置がピンスペーサ等の固定部材を介して色合成光学装置の各光束入射端面に直接固定されている構成の他、色合成光学装置の各光束入射端面に固定された部材に固定されている構成も含むものとする。
さらに、補強部材による光変調装置における側端面の支持固定は、補強部材が光変調装置の側端面を直接、支持固定する構成としてもよく、光変調装置を保持する部材等を介して該光変調装置の側端面を支持固定する構成としてもよい。
【０００８】
本発明では、台座には、複数の補強部材を支持する支持面が形成され、複数の補強部材は、支持面にて支持されつつ、複数の光変調装置の各側端面をそれぞれ支持固定するので、ピンスペーサ等の固定部材による複数の光変調装置および色合成光学装置の接合状態の強化を図れる。したがって、光学装置に対して外力が及ぼされた場合であっても、色合成光学装置に対する光変調装置の位置ずれを回避でき、複数の光変調装置における相互の位置を良好に維持し、画素ずれのない良好な光学像を形成できる。
また、台座には、支持面が形成されているので、補強部材による光変調装置の側端面の支持固定状態を良好に維持できる。したがって、光学装置を長期間使用した場合であっても、補強部材による光変調装置の側端面の支持固定状態が崩れることを防止できる。
【０００９】
本発明の光学装置では、前記台座は、平面視矩形状の板体と、この板体の四隅角部分から該板体の板面と平行に延出する脚部とを備え、前記脚部には、該脚部の面外方向に突出する支柱が設けられ、前記支柱の先端部分は、段付状に形成され、前記補強部材を支持する前記支持面を有していることが好ましい。
本発明では、台座は、板体および脚部を備え、脚部には支柱が設けられている。そして、支柱の先端部分は、段付状に形成され、補強部材を支持する支持面を有している。このことにより、例えば、補強部材を支柱の支持面に支持させつつ、補強部材に光変調装置の側端面を支持固定させ、さらに補強部材を支柱における段付状の側面に固定する構成とすれば、補強部材による光変調装置の側端面の支持固定状態をさらに強化できる。
【００１０】
本発明の光学装置では、前記支持面は、光束入射側に向かうにしたがって幅広となる形状を有し、前記補強部材は、略三角柱状に形成され、該柱状端部が前記支持面に支持されるとともに、略三角柱状の３つの外側面のうち、１つの外側面にて前記光変調装置の側端面を支持固定し、他の１つの外側面が前記支柱に当接することが好ましい。
本発明によれば、支持面が光束入射側に向かうにしたがって幅広となる形状を有し、補強部材が略三角柱状に形成されているので、光束入射側から補強部材を支柱と光変調装置の側端面との間に容易に設置でき、光学装置の製造を容易に実施できる。
また、補強部材は、柱状端部が支持面に支持されるとともに、１つの外側面が光変調装置の側端面を支持固定し、他の１つの外側面が支柱に当接する。このことにより、例えば、柱状端部と支持面との間、１つの外側面と光変調装置の側端面との間、および他の１つの外側面と支柱との間に光硬化型接着剤または熱硬化型接着剤を塗布する。そして、これら接着剤が未硬化の状態で、光変調装置の位置調整を実施すれば、接着剤の表面張力により光変調装置の移動に補強部材が追従し、光変調装置の位置調整後、光変調装置の固定を容易に実施でき、また、色合成光学装置に対する光変調装置の固定状態を強固なものにすることができる。
【００１１】
本発明の光学装置では、前記台座は、平面視矩形状の板体と、この板体の四隅角部分から該板体の板面と平行に延出し、前記補強部材を支持する前記支持面を有する脚部とを備え、前記補強部材は、断面略台形状の柱部材から構成され、該柱部材端部が前記支持面に支持されるとともに、断面略台形状の平行関係を有しない対向する２辺をそれぞれ含む各外側面のうち、少なくともいずれか一方の外側面にて前記光変調装置の側端面を支持固定することが好ましい。
本発明では、台座の脚部が補強部材の支持面となる。また、補強部材は、柱部材端部が支持面に支持されるとともに、断面略台形状の平行関係を有しない対向する２辺をそれぞれ含む各外側面のうち、少なくともいずれか一方の外側面にて光変調装置の側端面を支持固定する。このことにより、隣接する光変調装置の間に配置される補強部材は、断面略台形状の平行関係を有しない対向する２辺をそれぞれ含む各外側面にて隣接する光変調装置の各側端面を相互に支持固定でき、最低限の数の補強部材で色合成光学装置に対する複数の光変調装置の接合状態を強化できる。
また、例えば、柱部材端部と脚部との間、および断面略台形状の平行関係を有しない対向する２辺のそれぞれを含む各外側面のうち、少なくともいずれか一方の外側面と光変調装置の側端面との間に光硬化型接着剤または熱硬化型接着剤を塗布する。そして、これら接着剤が未硬化の状態で、光変調装置の位置調整を実施すれば、接着剤の表面張力により光変調装置の移動に補強部材が追従し、光変調装置の位置調整後、光変調装置の固定を容易に実施でき、また、色合成光学装置に対する光変調装置の固定状態を強固なものにすることができる。
【００１２】
本発明の光学装置では、前記台座は、平面視矩形状の板体と、この板体の四隅角部分から該板体と平行に延出し、前記補強部材を支持する前記支持面を有する脚部とを備え、前記補強部材は、対向する端縁に曲げ加工が施された矩形板状体から構成され、略中央部分に位置する基部と、この基部から断面略ハ字状に延出する２つの延出部とを備え、前記対向する端縁に交差する端部が前記支持面に支持されるとともに、前記２つの延出部のうち、少なくともいずれか一方の延出部にて前記光変調装置の側端面を支持固定することが好ましい。
本発明では、台座の脚部が補強部材の支持面となる。また、補強部材は、対向する端縁に交差する端部が支持面に支持されるとともに、２つの延出部のうち、少なくともいずれか一方の延出部にて光変調装置の側端面を支持固定する。このことにより、隣接する光変調装置の間に配置される補強部材は、２つの延出部にて隣接する光変調装置の各側端面を相互に支持固定でき、最低限の数の補強部材で色合成光学装置に対する複数の光変調装置の接合状態を強化できる。
また、補強部材は、矩形板状体を曲げ加工することで形成できるので、該補強部材の製造を容易に実施でき、光学装置の製造コストの低減を図れる。
さらに、例えば、対向する端縁に交差する端部と脚部との間、および２つの延出部のうち、少なくともいずれか一方の延出部と光変調装置の側端面との間に光硬化型接着剤または熱硬化型接着剤を塗布する。そして、これら接着剤が未硬化の状態で、光変調装置の位置調整を実施すれば、接着剤の表面張力により光変調装置の移動に補強部材が追従し、光変調装置の位置調整後、光変調装置の固定を容易に実施でき、また、色合成光学装置に対する光変調装置の固定状態を強固なものにすることができる。
【００１３】
本発明の光学装置では、前記板体は、前記脚部の厚み寸法よりも大きい厚み寸法を有し、前記脚部との接続部分に段差部が形成され、前記補強部材は、断面略台形状の平行関係を有する２辺のうちの短辺を含む外側面、または、前記補強部材の基部が前記段差部に当接することが好ましい。
本発明では、板体には段差部が形成され、この段差部には、補強部材における断面略台形状の平行関係を有する２辺のうちの短辺を含む外側面、または、補強部材における基部が当接する。このことにより、例えば、これら当接部分を接着剤等により固定すれば、補強部材による色合成光学装置に対する複数の光変調装置の接合状態をさらに強化できる。
【００１４】
本発明の光学装置では、前記光変調装置は、光変調を実施する光変調素子と、この光変調素子を収納する保持枠とを備え、前記保持枠、前記補強部材、および前記台座は、熱伝導性材料から構成され、これら各部材間は、熱伝導性接着剤にて互いに接着固定されていることが好ましい。
本発明によれば、光変調装置を構成する保持枠、補強部材、および台座は、熱伝導性材料から構成され、これら各部材間は、熱伝導性接着剤にて互いに接着固定されているので、光学装置の剛性強化を図れるとともに、各部材間の熱伝達特性を向上でき、光束の照射により光変調装置を構成する光変調素子に発生する熱を保持枠、補強部材、および台座に放熱することで、光変調素子の熱劣化を防止できる。
【００１５】
本発明のプロジェクタは、光源と、前記光源から射出された光束を複数の色光に分離する色分離光学装置と、上述した光学装置と、前記光学装置にて形成された光学像を拡大投写する投写光学装置とを備えていることを特徴とする。
本発明によれば、プロジェクタは、上述した光学装置を備えているので、上述した光学装置と同様の作用・効果を享受できる。
また、プロジェクタは、剛性が強化された光学装置を備えているので、投写光学装置により常に鮮明な画像を投写できる。
【発明を実施するための最良の形態】
【００１６】
[１．第１実施形態]
以下、本発明の第１実施形態を図面に基づいて説明する。
〔1-1.プロジェクタの構成〕
図１は、本実施形態に係る光学装置を備えたプロジェクタ１の光学系を示す模式図である。
プロジェクタ１は、光源から射出された光束を画像情報に応じて変調し、スクリーン等の投写面上に拡大投写する。このプロジェクタ１は、図１に示すように、照明光学系１００と、色分離光学装置としての色分離光学系２００と、リレー光学系３００と、３つの光変調装置４００Ｒ，４００Ｇ，４００Ｂおよび色合成光学装置としてのクロスダイクロイックプリズム５００を含んで構成される光学装置７００と、投写光学装置としての投写光学系６００とを備える。そして、これら光学部品１００〜３００，４００Ｒ，４００Ｇ，４００Ｂ，５００，６００は、図示しない光学部品収納用筐体内に収納されている。
【００１７】
照明光学系１００は、光源から射出された光束を照明光軸直交面内における照度を均一にするための光学系である。この照明光学系１００は、図１に示すように、光源１１０と、第１レンズアレイ１２０と、第２レンズアレイ１３０と、偏光変換素子１４０と、重畳レンズ１５０とを備える。
光源１１０は、具体的な図示は省略するが、放射光源としての光源ランプおよびリフレクタで構成され、光源ランプから射出された放射状の光束は、リフレクタで反射されて略平行光束とされ、外部へと射出される。なお、光源ランプとしては、例えば、高圧水銀ランプ、メタルハライドランプ、またはハロゲンランプ等を採用できる。また、リフレクタとしては、例えば、放物面鏡または楕円面鏡等を採用でき、楕円面鏡を採用した場合には、該リフレクタの射出面に平行化凹レンズを配置した構成を採用する。
【００１８】
第１レンズアレイ１２０は、照明光軸方向から見てほぼ矩形状の輪郭を有する小レンズがマトリクス状に配列された構成を具備している。各小レンズは、光源１１０から射出された光束を部分光束に分割し、照明光軸方向に射出する。
第２レンズアレイ１３０は、第１レンズアレイ１２０と略同様の構成であり、小レンズがマトリクス状に配列された構成を具備する。この第２レンズアレイ１３０は、重畳レンズ１５０とともに、第１レンズアレイ１２０の各小レンズの像を３つの光変調装置４００Ｒ，４００Ｇ，４００Ｂの画像形成領域に結像させる機能を有する。
【００１９】
偏光変換素子１４０は、第２レンズアレイ１３０から射出される光束を略１種類の直線偏光光束に変換するものであり、これにより、光学装置７００での光の利用効率が高められている。
具体的に、偏光変換素子１４０によって略１種類の直線偏光光束に変換された各部分光束は、重畳レンズ１５０によって最終的に光変調装置４００Ｒ，４００Ｇ，４００Ｂの画像形成領域にほぼ重畳される。偏光光を変調するタイプの液晶パネルを用いたプロジェクタでは、１種類の偏光光しか利用できないため、ランダムな偏光光を発する光源１１０からの光束の略半分が利用されない。このため、偏光変換素子１４０を用いることにより、光源１１０から射出された光束を略１種類の偏光光に変換し、光変調装置４００Ｒ，４００Ｇ，４００Ｂにおける光の利用効率を高めている。なお、このような偏光変換素子１４０は、例えば、特開平８−３０４７３９号公報に紹介されている。
【００２０】
色分離光学系２００は、２枚のダイクロイックミラー２１０，２２０と、反射ミラー２３０とを備える。照明光学系１００から射出された複数の部分光束は、２枚のダイクロイックミラー２１０，２２０により赤（Ｒ）、緑（Ｇ）、青（Ｂ）の３色の色光に分離される。
リレー光学系３００は、入射側レンズ３１０と、リレーレンズ３３０と、反射ミラー３２０，３４０と、フィールドレンズ３５０とを備える。このリレー光学系３００は、色分離光学系２００で分離された色光である青色光を青色光用の光変調装置４００Ｂまで導く機能を有している。
【００２１】
この際、色分離光学系２００のダイクロイックミラー２１０では、照明光学系１００から射出された光束のうち、緑色光成分と青色光成分とは反射し、赤色光成分は透過する。ダイクロイックミラー２１０によって透過した赤色光は、反射ミラー２３０で反射し、フィールドレンズ２４０Ｒを通って、赤色光用の光変調装置４００Ｒに到達する。このフィールドレンズ２４０Ｒは、第２レンズアレイ１２０から射出された各部分光束をその中心軸（主光線）に対して平行な光束に変換する。他の緑色光用および青色光用の光変調装置４００Ｇ，４００Ｂの光入射側に設けられたフィールドレンズ２４０Ｇ，３５０も同様である。
【００２２】
また、ダイクロイックミラー２１０を反射した青色光と緑色光のうちで、緑色光は、ダイクロイックミラー２２０によって反射し、フィールドレンズ２４０Ｇを通って、緑色光用の光変調装置４００Ｇに到達する。一方、青色光は、ダイクロイックミラー２２０を透過してリレー光学系３００を通り、青色光用の光変調装置４００Ｂに到達する。
なお、青色光にリレー光学系３００が用いられているのは、青色光の光路の長さが他の色光の光路長さよりも長いため、光の発散等による光の利用効率の低下を防止するためである。すなわち、入射側レンズ３１０に入射した部分光束をそのまま、フィールドレンズ３５０に伝えるためである。なお、リレー光学系３００には、３つの色光のうちの青色光を通す構成としたが、これに限らず、例えば、赤色光を通す構成としてもよい。
【００２３】
光学装置７００は、入射された光束を画像情報に応じて変調してカラー画像を形成する。この光学装置７００は、色分離光学系２００で分離された各色光が入射される３つの入射側偏光板９１８Ｒ，９１８Ｇ，９１８Ｂと、これら入射側偏光板９１８Ｒ，９１８Ｇ，９１８Ｂの後段に配置される、光変調装置４００Ｒ，４００Ｇ，４００Ｂおよび射出側偏光板９２０Ｒ，９２０Ｇ，９２０Ｂと、クロスダイクロイックプリズム５００とを備える。そして、これら各部材のうち、光変調装置４００Ｒ，４００Ｇ，４００Ｂおよびクロスダイクロイックプリズム５００は、一体化されて光学装置本体７００Ａ（図２参照）を構成する。
【００２４】
このうち、入射側偏光板９１８Ｒ，９１８Ｇ，９１８Ｂは、光学装置本体７００Ａの最も光束入射側に配置され、色分離光学系２００を介した色光のうち、一定方向の偏光光のみを透過させ、その他の光束を吸収する偏光膜が基板に貼り付けられた構成を有している。これら入射側偏光板９１８Ｒ，９１８Ｇ，９１８Ｂは、光学装置本体７００Ａと別体とされているが、光学装置本体７００Ａの光束入射側に一体的に設ける構成としてもよい。
なお、光学装置本体７００Ａの詳細な構造については、後述する。
投写光学系６００は、光学装置７００の射出側に配置されている。そして、光学装置７００にて形成されるカラー画像を表示画像としてスクリーン（投写面）上に投写拡大表示するように構成されている。
【００２５】
[1-2.光学装置本体の構成]
図２は、光学装置本体７００Ａを示す図である。具体的に、図２（ａ）は、光学装置本体７００Ａの正面図であり、図２（ｂ）は、光学装置本体７００Ａの平面図であり、図２（ｃ）は、光学装置本体７００Ａの側面図である。
光学装置本体７００Ａは、図２に示すように、光変調装置４００Ｒ，４００Ｇ，４００Ｂと、固定部材としての断熱ピン９３８と、クロスダイクロイックプリズム５００（図２（ａ））と、射出側偏光板９２０Ｒ，９２０Ｇ，９２０Ｂ（図２（ａ），図２（ｂ））と、３つの熱伝導板９３５（図２（ａ），図２（ｂ））と、台座９７０と、６つの補強部材９３７（図２（ｂ），図２（ｃ））とを備える。そして、光学装置本体７００Ａは、図２に示すように、これら光学部品４００Ｒ，４００Ｇ，４００Ｂ，５００，９２０Ｒ，９２０Ｇ，９２０Ｂ，９３７，９３８，９７０が一体的にユニット化して構成されている。
【００２６】
光変調装置４００Ｒ，４００Ｇ，４００Ｂは、例えば、透過型の３つの光変調装置からなり、ＲＧＢの各色光に対応させてクロスダイクロイックプリズム５００の入射側に配置されている。
光変調装置４００Ｒ，４００Ｇ，４００Ｂは、ほぼ同一の構成であるため、光変調装置４００Ｇ，４００Ｂの構成についての説明は省略し、光変調装置４００Ｒの構成についてのみ説明すると、光変調装置４００Ｒは、図２（ｃ）に示すように、液晶パネル４００ｒおよびパネル保持枠９０２から大略構成されている。
なお、光変調装置４００Ｇ，４００Ｂに接続・連結されるフレキシブル基板等の構成部材については、光変調装置４００Ｒと同一または同等（ｒ，ｇ，ｂの違い）の符号を付けて説明する。
【００２７】
液晶パネル４００ｒは、液晶層（図示せず）を介して互いに対向する二つのガラス基板（共に図示せず）を有し、配線用のフレキシブル基板４００ｒ1に接続されている。そして、それぞれの光入射面に入射した色光を、それぞれに対応する色信号（画像信号）に応じた光に変換し、これら変換された光を透過光として射出するように構成されている。
パネル保持枠９０２は、図２に示されるように、クロスダイクロイックプリズム５００の光束入射端面に対して４本の断熱ピン９３８により取り付けられ、液晶パネル４００ｒを内部に収容保持するように構成されている。そして、全体がアルミニウム合金等の高熱伝導性部材によって形成されている。パネル保持枠９０２の角部には、４本の断熱ピン９３８がそれぞれ挿通するピン挿通孔９０２ａ１〜９０２ａ４が設けられている。
【００２８】
射出側偏光板９２０Ｒ，９２０Ｇ，９２０Ｂは、入射側偏光板９１８Ｒ，９１８Ｇ，９１８Ｂと略同様の機能を有し、光変調装置４００Ｒ，４００Ｇ，４００Ｂから射出された光束のうち、一定方向の偏光光を透過し、その他の光束を吸収する。これら射出側偏光板９２０Ｒ，９２０Ｇ，９２０Ｂは、図２（ａ）または図２（ｂ）に示すように、クロスダイクロイックプリズム５００の光束入射側端面に貼り付けられる第１射出側偏光板９２０Ｒ１，９２０Ｇ１，９２０Ｂ１と、熱伝導板９３５に支持固定される第２射出側偏光板９２０Ｒ２，９２０Ｇ２，９２０Ｂ２とを備える。
【００２９】
第１射出側偏光板９２０Ｒ１，９２０Ｇ１，９２０Ｂ１および第２射出側偏光板９２０Ｒ２，９２０Ｇ２，９２０Ｂ２は、光吸収特性が異なるように構成されたものであり、それぞれの偏光軸は平行となるように配置されている。このように射出側偏光板９２０Ｒ，９２０Ｇ，９２０Ｂを、２体構成とすることで、例えば１体で構成する場合と比較して、射出側偏光板９２０Ｒ，９２０Ｇ，９２０Ｂにて吸収する熱を２体で按分でき、射出側偏光板９２０Ｒ，９２０Ｇ，９２０Ｂの熱劣化を防止できる。
なお、第１射出側偏光板９２０Ｒ１，９２０Ｇ１，９２０Ｂ１および第２射出側偏光板９２０Ｒ２，９２０Ｇ２，９２０Ｂ２は、偏光軸が平行となるように配置されるとともに、入射側偏光板９１８Ｒ，９１８Ｇ，９１８Ｂの偏光軸と略直交するように配置される。
【００３０】
熱伝導板９３５は、アルミニウムの平板を板金加工することにより略矩形状に形成されたものであり、平面視略中央部分にはクロスダイクロイックプリズム５００に貼り付けられる第１射出側偏光板９２０Ｒ１，９２０Ｇ１，９２０Ｂ１を嵌合可能とする開口（図示省略）が形成され、左右辺縁には光束入射側に突出する断面略Ｌ字状の突出部９３５Ａ（図２（ａ），図２（ｂ））が形成されている。そして、この熱伝導板９３５は、突出部９３５Ａにより第２射出側偏光板９２０Ｒ２，９２０Ｇ２，９２０Ｂ２を支持固定するとともに、クロスダイクロイックプリズム５００に貼り付けられる第１射出側偏光板９２０Ｒ１，９２０Ｇ１，９２０Ｂ１と熱伝達可能に接続し、上下端部にて台座９７０の側面に熱伝導性を有する弾性部材（図示省略）を介して固定される。
なお、熱伝導板９３５としては、アルミニウムの他、電気亜鉛メッキ鋼板等にて構成してもよく、射出成型等による成型により形成される合成樹脂製、インバー等の鉄−ニッケル合金、Ｍｇ合金、Ａｌ合金等の成型品から構成してもよい。
【００３１】
断熱ピン９３８は、図２に示すように、略円柱形状を有し、紫外線光を透過する合成樹脂（アクリル材）から構成されている。この断熱ピン９３８は、光変調装置４００Ｒ，４００Ｇ，４００Ｂにおけるパネル保持枠９０２のピン挿通孔９０２ａ１〜９０２ａ４に挿通され、一端が熱伝導板９３５の光束入射端面に固定されることで、光変調装置４００Ｒ，４００Ｇ，４００Ｂを熱伝導板９３５に支持固定する。
なお、この断熱ピン９３８は、アクリル材に限らず、紫外線光を透過する他の合成樹脂で構成してもよく、その他、光学ガラス、水晶、サファイア、石英、または蛍石等にて構成してもよい。また、断熱ピン９３８の数は、４つに限らず、２つ以上あればよい。この場合、光変調装置４００Ｒ，４００Ｇ，４００Ｂにおけるパネル保持枠９０２のピン挿通孔９０２ａ１〜９０２ａ４の数も断熱ピン９３８の数に対応するように形成すればよい。
【００３２】
クロスダイクロイックプリズム５００は、射出側偏光板９２０Ｒ，９２０Ｇ，９２０Ｂから射出され、色光毎に変調された光学像を合成してカラー画像を形成する。このクロスダイクロイックプリズム５００には、赤色光を反射する誘電体多層膜５１０Ｒ（図１）と青色光を反射する誘電体多層膜５１０Ｂ（図１）とが、４つの直角プリズムの界面に沿って略Ｘ字状に設けられ、これらの誘電体多層膜５１０Ｒ，５１０Ｂにより３つの色光が合成される。
【００３３】
台座９７０は、クロスダイクロイックプリズム５００の上下面（光束入射端面と直交する一対の端面）に固定される。この台座９７０は、図２に示すように、クロスダイクロイックプリズム５００の上面に固定される略直方体状の上台座９６０と、クロスダイクロイックプリズム５００の下面を支持固定するプリズム固定板９５０と、このプリズム固定板９５０と接続し、光学装置本体７００Ａ全体を支持固定する熱伝導性部材９４０とを備える。
【００３４】
図３および図４は、プリズム固定板９５０を示す図である。具体的に、図３（ａ）は、プリズム固定板９５０を上方から見た斜視図であり、図３（ｂ）は、プリズム固定板９５０を下方から見た斜視図である。また、図４（ａ）は、プリズム固定板９５０を上方から見た平面図であり、図４（ｂ）は、プリズム固定板９５０を側面から見た図である。
プリズム固定板９５０は、図３および図４に示すように、後述する熱伝導性部材９４０の段状面に当接する段状面９５０Ａ１（図３（ｂ），図４（ｂ））を有し、熱伝導性部材９４０の後述する枠部に嵌合する。プリズム固定板９５０の上方端面には、上方に突出する突出部９５０Ａが形成されている。これにより、クロスダイクロイックプリズム５００を位置調整してプリズム固定板９５０の上方端面に取り付けるように構成されている。プリズム固定板９５０の下方端面中央部には、図示しない光学部品収納用筐体に取り付けるためのねじ孔９５０Ｂ１が設けられている。また、プリズム固定板９５０の下方端面角部には、下方に突出する位置決め用の凸部９５０Ｂ２が設けられている。
【００３５】
図５および図６は、熱伝導性部材９４０を示す図である。具体的に、図５は、熱伝導性部材９４０を上方から見た斜視図である。また、図６（ａ）は、熱伝導性部材９４０の平面図であり、図６（ｂ）は、熱伝導性部材９４０の側面図である。
熱伝導性部材９４０は、図５および図６に示すように、上下方向に開口する四角形状の枠部９４０Ａおよびこの枠部９４０Ａに連接する２対の脚部９４０Ｂ１，９４０Ｂ２を有している。
枠部９４０Ａは、内部に段状面９４０Ａ１を有し、この段状面９４０Ａ１にプリズム固定板９５０の段状面９５０Ａ１が当接することでプリズム固定板９５０を載置するように構成されている。
なお、枠部９４０Ａは、本発明に係る板体に相当する。
【００３６】
脚部９４０Ｂ１，９４０Ｂ２は、補強部材９３７を支持する支持面を有する。
この脚部９４０Ｂ１，９４０Ｂ２において、その上面には、上方に突出する４本の支柱９４０Ｃが形成されている。
支柱９４０Ｃは、略四角柱状の形状を有し、光学装置本体７００Ａが組み立てられた状態で、光変調装置４００Ｒ，４００Ｇ，４００Ｂのパネル保持枠９０２の左右端縁に沿って延びるように配置される。
この支柱９４０Ｃにおいて、その先端部分のパネル保持枠９０２の側端面に対向する角部分は、段付状に形成され、補強部材９３７を支持する支持面９４０Ｃ１が形成されている。この支持面９４０Ｃ１は、光束入射側に向かうにしたがって幅広となる形状を有している。
【００３７】
以上説明した台座９７０は、アルミニウム合金で構成されている。ただし、この台座９７０の材料は、アルミニウム合金に限られない。例えば、軽量で熱伝導性が良好な、Ａｌ，Ｍｇ，Ｔｉやこれらの合金、インバーおよび４２Ｎｉ−Ｆｅ等の鉄−ニッケル合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）を用いてもよい。
【００３８】
補強部材９３７は、三角柱状に形成されたアルミニウム合金製の三角スペーサであり、断面略直角三角形状に形成されている。この補強部材９３７は、熱伝導性部材９４０における支柱９４０Ｃの支持面９４０Ｃ１に支持されるとともに、断面略直角三角形状の斜辺を含む側面が支柱９４０Ｃの側面に対向し、断面略直角三角形状の他の辺を含む側面がパネル保持枠９０２の側端面に対向する。そして、補強部材９３７と、支柱９４０Ｃの支持面９４０Ｃ１、支柱９４０Ｃの側面、およびパネル保持枠９０２の側端面との間には、熱伝導性を有する紫外線硬化型接着剤が塗布され、補強部材９３７によりパネル保持枠９０２が支柱９４０Ｃに対して熱伝達可能に固定される。
なお、補強部材９３７の構成材料は、アルミニウム合金に限らず、台座９７０と同様に、例えば、軽量で熱伝導性が良好な、Ａｌ，Ｍｇ，Ｔｉやこれらの合金、インバーおよび４２Ｎｉ−Ｆｅ等の鉄−ニッケル合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）を採用してもよく、さらに、熱伝導性を有するゴム部材を採用してもよい。
【００３９】
〔1-3.光学装置本体の製造方法〕
次に、上述した光学装置本体７００Ａの製造方法を図面に基づいて説明する。
図７は、光学装置本体７００Ａの製造方法を説明するためのフローチャートである。
なお、各液晶パネルは、各パネル保持枠９０２内に固定されているものとする。
先ず、熱伝導性部材９４０上に取り付けられたプリズム固定板９５０にクロスダイクロイックプリズム５００を固定する（処理Ｓ１）。
具体的に、プリズム固定板９５０が取り付けられた熱伝導性部材９４０を所定位置に設置し、プリズム固定板９５０の突出部９５０Ａに紫外線硬化型接着剤を塗布する。そして、図示しないプリズム位置調整用治具を用いて、接着剤が塗布された突出部９５０Ａ上にクロスダイクロイックプリズム５００を設置する。また、図示しないプリズム位置調整用治具を用いて、クロスダイクロイックプリズム５００の位置調整を実施する。例えば、白色レーザ光をクロスダイクロイックプリズム５００の三方の光束入射側端面に照射し、光束射出側端面から射出される光束に基づいてプリズム固定板９５０に対してクロスダイクロイックプリズム５００を位置調整してもよい。また、例えば、クロスダイクロイックプリズム５００の上面を撮像し、この撮像されたクロスダイクロイックプリズム５００の上面の画像に基づいてクロスダイクロイックプリズム５００をプリズム固定板９５０に対して位置調整してもよい。位置調整した後、クロスダイクロイックプリズム５００の下面とプリズム固定板９５０の突出部９５０Ａとの間に充填された紫外線硬化型接着剤に紫外線を照射して硬化させる。
【００４０】
処理Ｓ１の後、クロスダイクロイックプリズム５００に対して射出側偏光板９２０Ｒ，９２０Ｇ，９２０Ｂを固定する（処理Ｓ２）。
具体的に、先ず、クロスダイクロイックプリズム５００の光束入射側端面の所定位置に第１射出側偏光板９２０Ｒ１，９２０Ｇ１，９２０Ｂ１を接着固定する。また、クロスダイクロイックプリズム５００の上面に、台座９７０における上台座９６０を接着固定する。さらに、第２射出側偏光板９２０Ｒ２，９２０Ｇ２，９２０Ｂ２を支持固定した熱伝導板９３５を、該熱伝導板９３５の図示しない開口に第１射出側偏光板９２０Ｒ１，９２０Ｇ１，９２０Ｂ１が嵌合するように配置し、熱伝導性を有する弾性部材を介して台座９７０の側面に接着固定する。
【００４１】
処理Ｓ２の後、光変調装置４００Ｒ，４００Ｇ，４００Ｂおよび断熱ピン９３８を、処理Ｓ２において一体化されたユニットに対して設置する（処理Ｓ３）。
具体的に、先ず、断熱ピン９３８の入射・射出側両端部（被接着部）に紫外線硬化型接着剤を塗布する。次に、パネル保持枠９０２のピン挿通孔９０２ａ１〜９０２ａ４に断熱ピン９３８をパネル保持枠９０２の入射側より挿入して熱伝導板９３５の光束入射端面に断熱ピン９３８の射出側端部を当接させる。この場合、断熱ピン９３８が熱伝導板９３５の光束入射側端面に当接すると、断熱ピン９３８が熱伝導板９３５と光変調装置４００Ｒ，４００Ｇ，４００Ｂとの間に介在する。
【００４２】
次に、補強部材９３７を、処理Ｓ３において一体化されたユニットに対して設置する（処理Ｓ４）。
具体的に、先ず、補強部材９３７における片側端部、断面略直角三角形状の斜辺を含む側面、および断面略直角三角形状の他の辺を含む側面に熱伝導性を有する紫外線硬化型接着剤を塗布する。次に、接着剤を塗布した各側面をそれぞれ支柱９４０Ｃの側面およびパネル保持枠９０２の側端面に対向させた状態で、熱伝導性部材９４０における支柱９４０Ｃの支持面９４０Ｃ１に補強部材９３７の片側端部を載置する。そして、補強部材９３７を光束入射側から光束射出側に向けて押圧し、補強部材９３７における断面略直角三角形状の斜辺を含む側面、および断面略直角三角形状の他の辺を含む側面を、支柱９４０Ｃの側面およびパネル保持枠９０２の側端面に当接する。この場合、補強部材９３７と、支柱９４０Ｃおよびパネル保持枠９０２との間に塗布された紫外線硬化型接着剤は未硬化のままである。
【００４３】
次に、光変調装置４００Ｒ，４００Ｇ，４００Ｂのフォーカス・アライメント調整を実施する（処理Ｓ５）。
具体的に、先ず、投写光学系６００（図１）と正対する光変調装置４００Ｇについて、熱伝導板９３５の光束入射側端面と断熱ピン９３８との接合面を摺動面としてアライメント調整を実施し、断熱ピン９３８の外側面と光変調装置４００Ｇにおけるパネル保持枠９０２のピン挿通孔９０２ａ１〜ａ４の内側面との接合面を摺動面とし、すなわち、断熱ピン９３８に対して光変調装置４００Ｇを摺動させることでフォーカス調整を実施する。ここで、アライメント調整とは、投写光学系６００の光軸方向をＺ方向、これに直交する２軸をＸ，Ｙ軸とした場合、Ｘ軸方向と、Ｙ軸方向と、ＸＹ平面内の回転方向（θ方向）の調整を意味する。フォーカス調整とは、Ｚ軸方向と、Ｘ軸を中心とした回転方向（Ｘθ方向）と、Ｙ軸を中心とした回転方向（Ｙθ方向）の調整を意味する。
なお、光変調装置４００Ｇのフォーカス・アライメント調整を実施している際には、各部材間に塗布された紫外線硬化型接着剤の表面張力により、光変調装置４００Ｇの移動に補強部材９３７が追従する。
【００４４】
次に、処理Ｓ５において光変調装置４００Ｇの位置調整を実施した後、光変調装置４００Ｇ、補強部材９３７、および熱伝導性部材９４０の各部材間に塗布された紫外線硬化型接着剤に紫外線を同時に照射してこれら各部材を固定する（処理Ｓ６）。
そして、位置調整と固定が完了した光変調装置４００Ｇを基準として、光変調装置４００Ｒ，４００Ｂに関しても処理Ｓ５および処理Ｓ６を実施し、光変調装置４００Ｒ，４００Ｂの位置調整および固定を実施する（処理Ｓ７）。
以上のような手順で光学装置本体７００Ａが製造される。
なお、光学装置本体７００Ａの組み立ては、必ずしも上記の順序で実施する必要はない。
【００４５】
〔1-4.第１実施形態の効果〕
上述した第１実施形態によれば、以下の効果を奏する。
（１）台座９７０を構成する熱伝導部材９４０には、６つの補強部材９３７を支持する支持面９４０Ｃ１が形成され、６つの補強部材９３７は、支持面９４０Ｃ１にて支持されつつ、光変調装置４００Ｒ，４００Ｇ，４００Ｂの各側端面をそれぞれ支持固定するので、断熱ピン９３８による光変調装置４００Ｒ，４００Ｇ，４００Ｂおよびクロスダイクロイックプリズム５００の接合状態の強化を図れる。したがって、光学装置本体７００Ａに対して外力が及ぼされた場合であっても、クロスダイクロイックプリズム５００に対する光変調装置４００Ｒ，４００Ｇ，４００Ｂの位置ずれを回避でき、光変調装置４００Ｒ，４００Ｇ，４００Ｂにおける相互の位置を良好に維持し、画素ずれのない良好な光学像を形成できる。
【００４６】
（２）台座９７０を構成する熱伝導部材９４０には、支持面９４０Ｃ１が形成されているので、補強部材９３７による光変調装置４００Ｒ，４００Ｇ，４００Ｂの各側端面の支持固定状態を良好に維持できる。したがって、光学装置本体７００Ａを長期間使用した場合であっても、補強部材９３７による光変調装置４００Ｒ，４００Ｇ，４００Ｂの各側端面の支持固定状態が崩れることを防止できる。
【００４７】
（３）熱伝導性部材９４０は、枠部９４０Ａおよび脚部９４０Ｂ１，９４０Ｂ２を備え、脚部９４０Ｂ１，９４０Ｂ２には支柱９４０Ｃが設けられている。そして、支柱９４０Ｃの先端部分は、段付状に形成され、補強部材９３７を支持する支持面９４０Ｃ１を有している。このことにより、補強部材９３７を支柱９４０Ｃの支持面９４０Ｃ１に支持させつつ、補強部材９３７に光変調装置４００Ｒ，４００Ｇ，４００Ｂの側端面を支持固定させ、さらに補強部材９３７を支柱９４０Ｃの段付状の側面に固定することで、補強部材９３７による光変調装置４００Ｒ，４００Ｇ，４００Ｂの各側端面の支持固定状態をさらに強化できる。
【００４８】
（４）支持面９４０Ｃ１は、光束入射側に向かうにしたがって幅広となる形状を有し、補強部材９３７は、断面略直角三角形状の柱状部材で構成されているので、光束入射側から補強部材９３７を支柱９４０Ｃとパネル保持枠９０２の側端面との間に容易に設置でき、光学装置本体７００Ａの製造を容易に実施できる。
（５）補強部材９３７の柱状端部と支持面９４０Ｃ１との間、断面略直角三角形状の斜辺を含む外側面と支柱９４０Ｃの側面との間、および断面略直角三角形状の他の辺を含む外側面とパネル保持枠９０２の側端面との間には、紫外線硬化型接着剤が塗布され、これら接着剤が未硬化の状態で、光変調装置４００Ｒ，４００Ｇ，４００Ｂの位置調整を実施する。このため、接着剤の表面張力により光変調装置４００Ｒ，４００Ｇ，４００Ｂの移動に補強部材９３７が追従し、光変調装置４００Ｒ，４００Ｇ，４００Ｂの位置調整後、紫外線を照射することで、光変調装置４００Ｒ，４００Ｇ，４００Ｂの位置固定を容易にかつ迅速に実施できる。
【００４９】
（６）パネル保持枠９０２、補強部材９３７、および熱伝導性部材９４０は、アルミニウム等の熱伝導性材料から構成され、これら各部材間は、熱伝導性を有する紫外線硬化型接着剤にて互いに接着固定されているので、光学装置本体７００Ａの剛性強化を図れるとともに、各部材間の熱伝達特性を向上でき、光束の照射により光変調装置４００Ｒ，４００Ｇ，４００Ｂに発生する熱がパネル保持枠９０２〜補強部材９３７〜熱伝導性部材９４０の熱伝達経路を辿って放熱され、光変調装置４００Ｒ，４００Ｇ，４００Ｂの熱劣化を防止できる。
【００５０】
（７）パネル保持枠９０２、補強部材９３７、および熱伝導性部材９４０は、アルミニウム等の同一材料から構成されているので、熱膨張係数が略同一となり、各部材間に生じる熱応力を低減でき、各部材間の接合状態を良好に維持できる。
（８）プロジェクタ１は、剛性が強化されかつ、光変調装置４００Ｒ，４００Ｇ，４００Ｂの冷却効率が向上された光学装置本体７００Ａを備えているので、投写光学系６００により常に鮮明な画像を投写できる。
【００５１】
[２．第２実施形態]
次に、本発明の第２実施形態を説明する。
以下の説明では、前記第１実施形態と同様の構造および同一部材には同一符号を付して、その詳細な説明は省略または簡略化する。
第１実施形態では、６つの補強部材９３７は、三角スペーサで構成され、熱伝導性部材９４０に形成された支柱９４０Ｃにより支持されつつ、パネル保持枠９０２の側端面を支持固定する。
これに対して第２実施形態では、熱伝導性部材９４０’には、支柱９４０Ｃが省略された構成となっている。また、補強部材９３７’は、４つの断面略台形状の台形スペーサで構成され、熱伝導性部材９４０’により支持されつつ、パネル保持枠９０２の側端面を支持固定する。この際、隣接するパネル保持枠９０２間に配置される補強部材９３７’は、隣接するパネル保持枠９０２同士を支持固定する。
【００５２】
〔2-1.熱伝導性部材および補強部材の構成〕
図８は、第２実施形態における熱伝導性部材９４０’および補強部材９３７’の構造、およびパネル保持枠９０２との配置状態を示す分解斜視図である。なお、図８では、説明を簡略化するために、３つのパネル保持枠９０２のうち、緑色光入射側のパネル保持枠９０２のみを示し、赤および青色光入射側のパネル保持枠９０２を省略している。
熱伝導性部材９４０’は、第１実施形態における熱伝導性部材９４０と同様の材料にて構成され、プリズム固定板９５０を載置固定する段状面９４０Ａ１を有する枠部９４０Ａと、この枠部９４０Ａに連接する連接部９４０Ｄ’および４つの脚部９４０Ｂ’とを備える。なお、枠部９４０Ａおよび連接部９４０Ｄ’は、本発明に係る板体に相当する。
連接部９４０Ｄ’は、枠部９４０Ａの外側面に連接する略矩形状の板体であり、枠部９４０Ａの厚み寸法よりも小さい厚み寸法を有している。
脚部９４０Ｂ’は、連接部９４０Ｄ’の四隅角部分から該連接部９４０Ｄ’に沿って外側に延出するように形成され、平面視略台形状の形状を有している。そして、この脚部９４０Ｂ’の上面は、補強部材９３７’を支持固定する支持面９４０Ｃ１’となる。
【００５３】
補強部材９３７’は、第１実施形態の補強部材９３７と同様の材料にて構成され、断面略台形状の台形スペーサであり、一方の端部から他方の端部近傍にかけて、内部がくりぬかれた形状を有している。この補強部材９３７’は、他方の端部が熱伝導性部材９４０’における脚部９４０Ｂ’の支持面９４０Ｃ１’に支持されるとともに、断面略台形状の平行関係を有しない対向する２辺をそれぞれ含む２つの側面の少なくともいずれか一方の側面がパネル保持枠９０２の側端面に対向する。すなわち、隣接する２つのパネル保持枠９０２の間に配置される補強部材９３７’は、断面略台形状の平行関係を有しない対向する２辺をそれぞれ含む２つの側面が隣接する２つのパネル保持枠９０２の側端面にそれぞれ対向する。そして、補強部材９３７’と、脚部９４０Ｂ’の支持面９４０Ｃ１’およびパネル保持枠９０２の側端面との間には、熱伝導性を有する紫外線硬化型接着剤が塗布され、補強部材９３７’によりパネル保持枠９０２の側端面が熱伝導性部材９４０’に対して熱伝達可能に固定されるとともに、隣接するパネル保持枠９０２同士も補強部材９３７’により熱伝達可能に固定される。
【００５４】
なお、第２実施形態における光学装置本体７００Ａの製造方法については、第１実施形態の製造方法と略同様に実施でき、説明を省略する。
【００５５】
〔2-2.第２実施形態の効果〕
上述した第２実施形態によれば、上記（１）、（２）、（５）〜（８）と略同様の効果の他、以下の効果を奏する。
（９）熱伝導性部材９４０’の脚部９４０Ｂ’の上面が補強部材９３７’の支持面９４０Ｃ１’となり、補強部材９３７’は、柱部材端部が支持面９４０Ｃ１’に支持されるとともに、断面略台形状の平行関係を有しない対向する２辺をそれぞれ含む外側面のうち、少なくともいずれか一方の外側面にて光変調装置４００Ｒ，４００Ｇ，４００Ｂの各側端面を支持固定する。このことにより、隣接するパネル保持枠９０２の間に配置される補強部材９３７’は、断面略台形状の平行関係を有しない対向する２辺をそれぞれ含む各外側面にて隣接するパネル保持枠９０２の側端面を相互に支持固定できる。したがって、最低限の数である４つの補強部材９３７’でクロスダイクロイックプリズム５００に対する光変調装置４００Ｒ，４００Ｇ，４００Ｂの接合状態を強化できる。
（１０）補強部材９３７’は、断面略台形状の柱部材で構成され、一方の端部から他方の端部近傍にかけて内部がくりぬかれている。このことにより、クロスダイクロイックプリズム５００に対する光変調装置４００Ｒ，４００Ｇ，４００Ｂの接合状態を強化を図りつつ、補強部材９３７’の軽量化を図れ、ひいては光学装置本体７００Ａの軽量化を図れる。
【００５６】
[３．第３実施形態]
次に、本発明の第３実施形態を説明する。
以下の説明では、前記第１実施形態と同様の構造および同一部材には同一符号を付して、その詳細な説明は省略または簡略化する。
第１実施形態では、６つの補強部材９３７は、三角スペーサで構成され、熱伝導性部材９４０に形成された支柱９４０Ｃにより支持されつつ、パネル保持枠９０２の側端面を支持固定する。
これに対して第２実施形態では、熱伝導性部材９４０”には、支柱９４０Ｃが省略された構成となっている。また、補強部材９３７”は、板金加工が施された矩形板状体から構成され、熱伝導性部材９４０”により支持されつつ、パネル保持枠９０２の側端面を支持固定する。この際、隣接するパネル保持枠９０２間に配置される補強部材９３７”は、隣接するパネル保持枠９０２同士を支持固定する。
【００５７】
〔3-1.熱伝導性部材および補強部材の構成〕
図９は、第３実施形態における熱伝導性部材９４０”および補強部材９３７”の構造、およびパネル保持枠９０２との配置状態を示す分解斜視図である。なお、図９では、説明を簡略化するために、３つのパネル保持枠９０２のうち、緑色光入射側のパネル保持枠９０２のみを示し、赤および青色光入射側のパネル保持枠９０２を省略している。
熱伝導性部材９４０”は、第１実施形態における熱伝導性部材９４０と同様の材料にて構成され、プリズム固定板９５０を載置固定する段状面９４０Ａ１を有する枠部９４０Ａと、この枠部９４０Ａに連接する連接部９４０Ｄ”および４つの脚部９４０Ｂ”とを備える。なお、枠部９４０Ａおよび連接部９４０Ｄ”は、本発明に係る板体に相当する。
連接部９４０Ｄ”は、枠部９４０Ａと面一に連続して構成され、角部分が面取りされた略矩形状の板体である。
脚部９４０Ｂ”は、連接部９４０Ｄ”の四隅部分から該連接部９４０Ｄ”の下面に沿って外側に向けて延出するように形成され、平面視略Ｌ字状の形状を有している。また、この脚部９４０Ｂ”は、連接部９４０Ｄ”の厚み寸法よりも小さい厚み寸法を有し、すなわち、連接部９４０Ｄ”は、脚部９４０Ｂ”との接続部分に段差部９４０Ｄ１”を有している。そして、この脚部９４０Ｂ”の上面は、補強部材９３７”を支持固定する支持面９４０Ｃ１”となる。
【００５８】
補強部材９３７”は、アルミニウムの矩形平板を板金加工することにより形成されたものであり、対向する端縁が同一方向に曲げ加工され、略中央部分に位置する基部９３７Ａ”と、この基部９３７Ａ”から断面略ハ字状に延出する２つの延出部９３７Ｂ”とを備え、所謂トヨ状の形状を有している。この補強部材９３７”は、熱伝導性部材９４０”における脚部９４０Ｂ”の支持面９４０Ｃ１”に支持されるとともに、基部９３７Ａ”の下方側が連接部９４０Ｄ”の段差部９４０Ｄ１”に対向し、２つの延出部９３７Ｂ”の少なくともいずれか一方の延出部９３７Ｂ”がパネル保持枠９０２の側端面に対向する。すなわち、隣接する２つのパネル保持枠９０２の間に配置される補強部材９３７”は、２つの延出部９３７Ｂ”が隣接する２つのパネル保持枠９０２のコ字状端縁にそれぞれ対向する。そして、補強部材９３７”と、脚部９４０Ｂ”の支持面９４０Ｃ１”、連接部９４０Ｄ”の段差部９４０Ｄ１”、およびパネル保持枠９０２との間には、熱伝導性を有する紫外線硬化型接着剤が塗布され、補強部材９３７”によりパネル保持枠９０２の側端面が熱伝導性部材９４０”に対して熱伝達可能に固定されるとともに、隣接するパネル保持枠９０２同士も補強部材９３７”により熱伝達可能に固定される。
【００５９】
なお、第３実施形態における光学装置本体７００Ａの製造方法については、第１実施形態の製造方法と略同様に実施でき、説明を省略する。
【００６０】
〔3-2.第３実施形態の効果〕
上述した第３実施形態によれば、上記（１）、（２）、（５）〜（９）と略同様の効果の他、以下の効果を奏する。
（１１）補強部材９３７”は、アルミニウム等の矩形平板を曲げ加工することで形成できるので、該補強部材９３７”の製造を容易に実施でき、光学装置７００の製造コストの低減を図れる。
（１２）熱伝導性部材９４０”の連接部９４０Ｄ”は、段差部９４０Ｄ１”を有し、この段差部９４０Ｄ１”には、補強部材９３７”の基部９３７Ａ”の下方側が固定される。このことにより、熱伝導性部材９４０”に対する補強部材９３７”の支持状態が確保でき、補強部材９３７”によるクロスダイクロイックプリズム５００に対する光変調装置４００Ｒ，４００Ｇ，４００Ｂの接合状態をさらに強化できる。
【００６１】
〔４．実施形態の変形〕
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態では、熱伝導性部材９４０，９４０’，９４０”および補強部材９３７，９３７’，９３７”を、固定部材である断熱ピン９３８を介してクロスダイクロイックプリズム５００および光変調装置４００Ｒ，４００Ｇ，４００Ｂを接合する構造に採用したが、これに限らず、その他の固定部材を用いてクロスダイクロイックプリズム５００および光変調装置４００Ｒ，４００Ｇ，４００Ｂを接合する構造にも採用可能である。
【００６２】
前記各実施形態では、クロスダイクロイックプリズム５００に対する光変調装置４００Ｒ，４００Ｇ，４００Ｂの固定は、断熱ピン９３８により熱伝導板９３５の光束入射端面に固定されていたが、これに限らない。例えば、熱伝導板９３５を省略し、断熱ピン９３８等の固定部材を介してクロスダイクロイックプリズム５００の各光束入射端面に直接、光変調装置４００Ｒ，４００Ｇ，４００Ｂをそれぞれ固定する構成としてもよい。
【００６３】
前記各実施形態では、台座９７０は、クロスダイクロイックプリズム５００の上下面に固定されていたが、該上下面のいずれか一方に固定されていればよい。また、熱伝導性部材９４０，９４０’，９４０”とプリズム固定板９５０とが別部材である場合について説明したが、これに限らず、熱伝導性部材がプリズム固定板を兼用するブロック体であってもよい。このような構成では、光学装置の部品点数が削減され、装置全体および装置組立作業の簡素化が図れる。
前記各実施形態では、光学装置本体７００Ａの製造に紫外線硬化型接着剤を用いていたが、これに限らず、熱硬化型接着剤又は常温硬化型接着剤を用いることもできる。
【００６４】
前記実施形態では、３つの光変調装置を用いたプロジェクタの例のみを挙げたが、本発明は、２つの光変調装置を用いたプロジェクタ、あるいは、４つ以上の光変調装置を用いたプロジェクタにも適用可能である。
前記実施形態では、光入射面と光射出面とが異なる透過型の光変調装置を用いていたが、光入射面と光射出面とが同一となる反射型の光変調装置を用いてもよい。
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６６】
本発明の光学装置は、色合成光学装置に対する光変調装置の接合状態の強化を図れ、画素ずれのない良好な光学像を形成できるので、プレゼンテーションやホームシアター等の分野において利用されるプロジェクタを構成する光学装置として利用できる。
【図面の簡単な説明】
【００６７】
【図１】第１実施形態に係る光学装置を備えたプロジェクタの光学系を示す模式図。
【図２】前記実施形態における光学装置本体を示す図。
【図３】前記実施形態におけるプリズム固定板を示す図。
【図４】前記実施形態におけるプリズム固定板を示す図。
【図５】前記実施形態における熱伝導性部材を示す図。
【図６】前記実施形態における熱伝導性部材を示す図。
【図７】前記実施形態における光学装置本体の製造方法を説明するためのフローチャート。
【図８】第２実施形態における熱伝導性部材および補強部材の構造、およびパネル保持枠との配置状態を示す分解斜視図。
【図９】第３実施形態における熱伝導性部材および補強部材の構造、およびパネル保持枠との配置状態を示す分解斜視図。
【符号の説明】
【００６８】
１・・・プロジェクタ、１１０・・・光源装置、２００・・・色分離光学系（色分離光学装置）、４００Ｒ，４００Ｇ，４００Ｂ・・・光変調装置、５００・・・クロスダイクロイックプリズム（色合成光学装置）、６００・・・投写光学系（投写光学装置）、７００・・・光学装置、９０２・・・パネル保持枠、９３７，９３７’，９３７”・・・補強部材、９３７Ａ”・・・基部、９３７Ｂ”・・・延出部、９３８・・・断熱ピン（固定部材）、９４０Ｂ１，９４０Ｂ２，９４０Ｂ’，９４０Ｂ”・・・脚部、９４０Ｃ・・・支柱、９４０Ｃ１，９４０Ｃ１’，９４０Ｃ１”・・・支持面、９７０・・・台座、９４０Ｄ１”・・・段差部。
【図１】
2005070511.tif 000003
【図２】
2005070511.tif 000004
【図３】
2005070511.tif 000005
【図４】
2005070511.tif 000006
【図５】
2005070511.tif 000007
【図６】
2005070511.tif 000008
【図７】
2005070511.tif 000009
【図８】
2005070511.tif 000010
【図９】
2005070511.tif 000011